【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
ヒトの皮膚の領域をモニタリングする方法であって、該方法は、
該皮膚の領域を複数のフレキセルに割り当てることと、
該複数のフレキセルのそれぞれの反射特性を測定することと、
該複数のフレキセルのそれぞれの該反射特性から該皮膚の形態を決定することと、
該反射特性と該形態とに従って該皮膚を解析することと
を包含する、方法。
【請求項２】
前記皮膚の領域を前記複数のフレキセルに割り当てるステップと、
該複数のフレキセルのそれぞれの前記反射特性を測定するステップと、
該複数のフレキセルのそれぞれの該反射特性から該皮膚の形態を決定するステップと
を行うために、美容改善システムを使用すること
をさらに包含する、請求項１に記載の方法。
【請求項３】
前記反射特性と前記形態とに従って前記皮膚を解析することは、
スキャンされたデータから医学的に関連する属性のベースラインを定義することと、
予防用または治療用の医学的手当てまたは処置を保証する属性を識別することと
によって特徴認識ソフトウェアを使用することと、
予防用または治療用の医学的手当てまたは処置を保証する属性に関して報告することと
をさらに包含する、請求項１に記載の方法。
【請求項４】
予防用または治療用の医学的手当てまたは処置を保証する属性を識別するために、特徴認識ソフトウェアを使用することは、
前記ベースラインを解析することと、
次のスキャンされたデータに現れる、該ベースラインに対する変化を識別することと、
医学的問題を識別するために該変化を解析することと
を包含する、請求項３に記載の方法。
【請求項５】
前記複数のフレキセルのそれぞれの反射特性を測定することは、
オンまたはオフに制御され得る複数の光源を提供することと、
複数の照明条件を作成することであって、各照明条件は、該光源のそれぞれに対して、オン状態またはオフ状態を選択することを含む、ことと、
該複数の照明条件を繰り返す間に、画像データを獲得するために該皮膚の領域をスキャンすることと、
該画像データから該複数のフレキセルの前記反射率を決定することと
をさらに包含する、請求項１に記載の方法。
【請求項６】
スキャンされるフレキセルの位置を決定すること
をさらに包含する、請求項５に記載の方法。
【請求項７】
前記画像データから、基準面に対する前記フレキセルの傾斜を決定すること
をさらに包含する、請求項５に記載の方法。
【請求項８】
前記フレキセルの傾斜と該フレキセルに近接した他のフレキセルの傾斜とから、局所的な皮膚の形態を決定すること
をさらに包含する、請求項７に記載の方法。
【請求項９】
前記反射特性と前記形態とに従って前記皮膚を解析することは、
該皮膚の領域の第１のマップを構築し、その結果、該マップが、第１回における、前記複数のフレキセルのそれぞれの位置および反射率を含むこと
をさらに包含する、請求項１に記載の方法。
【請求項１０】
前記皮膚の領域の第２のマップを構築し、その結果、該マップが、第２回における、前記複数のフレキセルのそれぞれの位置および反射率を含むことと、
前記第１のマップと該第２のマップとを比較することと
をさらに包含する、請求項９に記載の方法。
【請求項１１】
ヒトの皮膚の領域をモニタリングする装置であって、該装置は、
筐体と、
少なくとも１つの光源であって、該光源は、オンおよびオフにされ得る、光源と、
少なくとも１つの受像素子と、
計算デバイスであって、該計算デバイスは、特定のフレキセルの反射率と傾斜とを決定するために、該受像素子からのデータを解析し得る、計算デバイスと
を備えている、装置。
【請求項１２】
第１の予防用または治療用の医学的化合物のリザーバと、
第１の予防用または治療用の医学的化合物の塗布デバイスと
をさらに備えている、請求項１１に記載の装置。
【請求項１３】
前記第１の予防用または治療用の医学的化合物の塗布デバイスは、
ドロップ制御デバイス
をさらに備えている、請求項１１に記載の装置。
【請求項１４】
前記第１の予防用または治療用の医学的化合物の塗布デバイスは、
少なくとも１つのインクジェットプリンタヘッド
をさらに備えている、請求項１１に記載の装置。
【請求項１５】
前記光源は、複数の発光ダイオードであり、このような第１の発光ダイオードは、第１の波長の発光を有しており、第２の発光ダイオードは、第２の波長の発光を有する、請求項１１に記載の装置。
【請求項１６】
第２の反射変性剤リザーバを備えている、請求項１２に記載の装置。
【請求項１７】
前記筐体はブースである、請求項１１に記載の装置。
【請求項１８】
前記筐体は、ハンドヘルドデバイスであり、その結果、該デバイスは、皮膚の領域の上を手動で移動され得る、請求項１１に記載の装置。
【請求項１９】
前記筐体は、ハンドヘルドデバイスであり、その結果、該デバイスは、皮膚マークの上に手動で配置され得る、請求項１１に記載の装置。
【請求項２０】
ヒトの皮膚の領域をモニタリングするシステムであって、該システムは、
該皮膚の領域を複数のフレキセルに割り当てる手段と、
該複数のフレキセルのそれぞれの反射特性を測定する手段と、
該複数のフレキセルのそれぞれの該反射特性から該皮膚の形態を決定する手段と、
該反射特性と該形態とに従って該皮膚を解析する手段と
を備えている、システム。
【請求項２１】
美容改善システムをさらに備え、該美容改善システムは、
前記皮膚の領域を前記複数のフレキセルに割り当てるステップと、
該複数のフレキセルのそれぞれの前記反射特性を測定するステップと、
該複数のフレキセルのそれぞれの該反射特性から該皮膚の形態を決定するステップと
を行うために使用される、請求項２０に記載のシステム。
【請求項２２】
医学的問題を処置するために、予防用または治療用の医学的化合物を特定のフレキセルに塗布する手段をさらに備えている、請求項２０に記載のシステム。
【請求項２３】
前記反射特性と前記形態とに従って前記皮膚を解析する手段は、
特徴認識ソフトウェアであって、該特徴認識ソフトウェアは、
スキャンされたデータから医学的に関連する属性のベースラインを定義することと、
予防用または治療用の医学的手当てまたは処置を保証する属性を識別することと
によって使用される、特徴認識ソフトウェアと、
予防用または治療用の医学的手当てまたは処置を保証する属性に関して報告する手段と
をさらに備えている、請求項２０に記載のシステム。
【請求項２４】
予防用または治療用の医学的手当てまたは処置を保証する属性を識別するために使用される前記特徴認識ソフトウェアは、
前記ベースラインを解析する手段と、
次のスキャンされたデータに現れる、該ベースラインに対する変化を識別する手段と、
医学的問題を識別するために該変化を解析する手段と
を備えている、請求項２３に記載のシステム。
【請求項２５】
前記複数のフレキセルのそれぞれの反射特性を測定する手段は、
オンまたはオフに制御され得る複数の光源を提供する手段と、
複数の照明条件を作成する手段であって、各照明条件は、該光源のそれぞれに対して、オン状態またはオフ状態を選択することを含む、手段と、
該複数の照明条件を繰り返す間に、画像データを獲得するために該皮膚の領域をスキャンする手段と、
該画像データから該複数のフレキセルの前記反射率を決定する手段と
をさらに備えている、請求項２０に記載のシステム。
【請求項２６】
スキャンされるフレキセルの位置を決定する手段をさらに備えている、請求項２５に記載のシステム。
【請求項２７】
前記画像データから、基準面に対する前記フレキセルの傾斜を決定する手段をさらに備えている、請求項２５に記載のシステム。
【請求項２８】
前記フレキセルの傾斜と該フレキセルに近接した他のフレキセルの傾斜とから、局所的な皮膚の形態を決定する手段をさらに備えている、請求項２７に記載のシステム。
【請求項２９】
前記反射特性と前記形態とに従って前記皮膚を解析する手段は、
該皮膚の領域の第１のマップを構築する手段であって、その結果、該マップが、第１回における、前記複数のフレキセルのそれぞれの位置および反射率を含む、手段をさらに備えている、請求項２０に記載のシステム。
【請求項３０】
前記皮膚の領域の第２のマップを構築する手段であって、その結果、該マップが、第２回における、前記複数のフレキセルのそれぞれの位置および反射率を含む、手段と、
前記第１のマップと該第２のマップとを比較する手段と
をさらに備えている、請求項２９に記載のシステム。